(57)【特許請求の範囲】
【請求項１】
魚釣りに用いるルアーであって、
ルアー本体と、
前記ルアー本体の下部に前記ルアー本体から一部が露出して装着される錘とを備え、
前記錘は前記ルアー本体から露出した部分に長手方向又は上下方向に延びる受け孔を有し、前記受け孔に脱着自在に装着される補助錘を有する、ルアー。
【請求項２】
前記受け孔は、前記錘の下面から上下方向に沿って設けられたねじ孔であり、
前記補助錘は前記ねじ孔に脱着自在に螺合している、
請求項１に記載のルアー。
【発明の詳細な説明】
【０００１】
【発明の属する技術分野】
本発明は魚釣りに用いるルアーに関する。
【０００２】
【従来の技術】
従来のルアーは、魚やエビなどの魚餌に外形を似せたルアー本体を有し、このルアー本体に釣糸を係止するための釣糸係止部や釣針を連結するための釣針連結部などを有している。釣り人は、このルアーに釣針や釣糸を連結し、ルアーを水中に投じて魚を釣り上げるのである。
【０００３】
このようなルアーはその浮力及び沈降速度を調整するために、様々な工夫が施されている。例えば、ルアー本体自体を比重の大きい金属で形成してルアーの沈降速度を大きくするもの、ルアー本体内部に錘を配置するもの、さらには、中空のルアー本体内部に移動可能に錘を配置してルアーの状態に応じて重心を変化させるもの等が知られている。
【０００４】
【発明が解決しようとする課題】
このような従来のルアーの浮力や沈降態様は、およそ取り付けられている錘若しくはルアー本体自体の重さによって左右されるものであり、状況に応じて沈降姿勢や沈降速度若しくは水中での浮力を変えることが難しかった。このため、状況に応じて沈降速度などを変化させたい場合には、ルアーそのものを交換して釣りを行っているのが現状である。
【０００５】
しかし、一々状況に応じてルアーを交換するのは煩雑であり、釣り場への荷物も増えることになる。１つのルアーで沈降態様等を状況に合わせて変化させ得るものが有れば便利である。
【０００６】
本発明の課題は、状況に合わせて沈降態様や泳動姿勢に変化を付けることができるルアーを提供することにある。
【０００７】
【課題を解決するための手段】
発明１のルアーは魚釣りに用いるルアーであって、ルアー本体と、ルアー本体の下部にルアー本体から一部が露出して装着される錘とを備えている。そして、この錘はルアー本体から露出した部分に長手方向又は上下方向に延びる受け孔を有し、受け孔に脱着自在に装着される補助錘を有している。
【０００８】
このルアーでは、ルアー本体に装着されている錘がルアー本体の水中での沈降速度や泳動姿勢などを調整している。そして、釣り場の状況、例えば、潮の変化や水深などにあわせて、沈降速度を調整したり泳動姿勢を調整する必要がある場合には、補助錘を必要に応じて錘の受け孔に装着する。補助錘の調整によって状況に合わせた釣りを行うことが可能となる。
【０００９】
発明２のルアーは、発明１のルアーであって、受け孔は、錘の下面から上下方向に沿って設けられたねじ孔であり、補助錘は前記ねじ孔に脱着自在に螺合している。
【００１０】
このルアーでは、補助錘をねじ式で受け孔に脱着でき、脱着操作が容易であるとともに補助錘が錘から不用意に外れてしまうこともない。
【００１１】
【発明の実施の形態】
［第１実施形態］
以下、本発明の第１実施形態について図面を参照しつつ説明する。
【００１２】
本発明の第１実施形態を採用したルアーは、図１に示すように、外形を小エビに似せて形成した中実のルアー本体１を有する。そして、ルアー本体１の頭部側下面には錘２が装着され、頭部側端部には釣糸を係止するためのリング状のアイ（釣糸係止部）３が設けられている。また、ルアー本体１の尾部側端部にはルアー本体１の周方向に並んで複数の釣針が配置された針山４が装着される。
【００１３】
ルアー本体１は、左右一対の半割部材を貼り合わせて形成され、又は、いわゆる射出成形によって形成される合成樹脂製部材、若しくは金属製の部材である。表面は外形をエビに似せるための様々な模様等が施される。例えば、頭部には目を設け、羽根５を取り付けてもよい。このルアー本体１の尾部側の下半身部分には腹側から背側にかけて孔部６が貫通している。孔部６は、上述の半割部材の開口面において形成され半割部材を開口面で張り合わせて形成される。図１に示すように複数個設けることも可能であり、１つのみ設けるものでもよい。特に、孔部６は腹部側が大径で、背部側に於いては比較的小径となるように加工される。また、孔部６は腹部側から背部側にかけて直線上に貫通するものでも良いが、図１に示すように、ルアー本体１内部で折れ曲がるように形成してもよい。
【００１４】
図２に詳しく示すように、ルアー本体１の尾部側の下半身部分の腹側には、左右側部にそれぞれ長手方向に延びるレール溝１ａが形成されている。このレール溝１ａは上述の孔部６の腹部側の開口付近から頭部側に延びている。そして、レール溝１ａ上をルアー本体１の長手方向に移動自在なスライド板７が配置されている。スライド板７は幅方向両側縁が折り返されレール溝１ａに係止されている板状部材である。レール溝１ａ上をスライド移動して孔部６の腹部側の開口を開閉する。
【００１５】
このように構成されるルアーは、釣り場の状況にあわせて、スライド板７をルアー本体１の長手方向にスライド移動させて、孔部６を開閉して用いられる。孔部６を開口させた状態で釣りを行えば、ルアーが水中に投じられた後に孔部６内に水が侵入する。孔部６を閉じた状態で釣りを行えば、背部側において孔部６は外部に連通しているものの、腹部側の開口が閉じられており孔部６内の空気が逃げにくく孔部６内は空洞のままとなる。これにより、ルアー本体の比重が変化し、ルアー本体の沈降速度や泳動姿勢が変化する。また、釣りを終えた場合には、ルアー本体１を貫通している孔部６から容易に水が排水できる。
【００１６】
［第１参考例］
以下、本発明の第１参考例について図面を参照しつつ説明する。
【００１７】
図３に示すように、本発明の第１参考例に係るルアーも、第１実施形態と同様に、外形をエビなどに似せたルアー本体１１を有する。そして、このルアー本体１１の頭部側下面にも錘１２が装着されている。この錘１２は、ルアー本体１１の頭部側下面に凹入した窪みに一部が挿入された状態で、必要に応じて接着剤等によって固定されている部材である。例えば、鉄やタングステン，鉛などの比重の大きい金属から形成されている。
【００１８】
なお、その他のアイ１３や針山１４なども第１実施形態と同様である。
【００１９】
図４に詳しく示すように、錘１２は上述のように一部がルアー本体１１内に挿入された状態でルアー本体１１に装着された略箱型部材である。そして、ルアー本体１１の頭部側に当たる側面から長手方向には、受け孔１２ａが形成されており、この受け孔１２ａに円筒型等略バレット型の補助錘１８が脱着自在に挿入されている。
【００２０】
受け孔１２ａは、図４においては長手方向に錘１２を貫通していないが、必要に応じて長手方向に貫通させてもよい。また、設ける受け孔１２ａの数も任意に設定可能である。一方、補助錘１８は受け孔１２ａに挿入され保持されるように径が設定されている部材であり、錘１２と同様に鉛などの比重の大きい金属から形成されている。
【００２１】
この受け孔１２ａに挿入する補助錘１８は、受け孔１２ａへの装着操作を容易にするために、図５に示すように、長手方向一旦に他の部分より拡径する頭１８ａを形成してもよい。
【００２２】
また、錘１２の別の態様としては、図６に示すように、錘１２の幅方向に受け孔１２ａを錘１２を貫通する状態で形成し、ここに、必要な補助錘１８を脱着自在に装着するようなタイプにすることも可能であろう。
【００２３】
さらに、ルアー使用時における補助錘の錘からの離脱を防止するために、図７に示すように、錘１２に雌ねじ穴を形成してこれを受け孔１２ａとし、補助錘１９を雄ねじとして受け孔１２ａに螺合させて装着することも可能である。この場合、補助錘１９は錘１２から不用意に離脱することがないので、図７にしめすように、受け孔１２ａは錘１２の下面側から上面側にかけて形成することも可能である。
【００２４】
このように構成されたルアーでは、錘１２に対して補助錘１８を必要に応じて装着することで、ルアー本体の水中での沈降速度や泳動姿勢などを調整できる。即ち、釣り場の状況、例えば、潮の変化や水深などにあわせて、沈降速度を調整したり泳動姿勢を調整する必要がある場合には、補助錘１８を錘１２の受け孔１２ａに装着し、若しくは補助錘１８を受け孔１２ａから取り外して釣りを行う。
【００２５】
［第２参考例］
以下、本発明の第２参考例について図面を参照しつつ説明する。
【００２６】
図８に示すように、本発明の第２参考例に係るルアーは、外形をエビなどの頭に似せて形成した頭部２１と、外形をエビなどの体に似せて形成した胴部２６とを有する。これら頭部２１及び胴部２６はそれぞれ第１実施形態と同様に中実の部材である。そして、頭部２１の頭部のアイ２３、胴部２６の錘２２，針山２４等についても第１実施形態と同様である。
【００２７】
頭部２１は、外形を頭に似せた釣鐘型部材であり、胴側の端面には長手方向に凹入するねじ穴２１ａが形成されている。このねじ穴２１ａはできるだけ大きめに形成するのが好ましい。一方、胴部２６の首側の端面には、上述のねじ穴２１ａに螺合するための雄ねじ部分２６ａが頭側に突出して形成されている。そして、この雄ねじ部分２６ａの頭端には必要に応じてゴム性のリングが配置される。
【００２８】
この頭部２１と胴部２６とは、胴部２６の雄ねじ部分２６ａを完全に頭部２１のねじ穴２１ａに螺合させた場合には、外形が連続して１つのエビになるように形成される。なお、雄ねじ部分２６ａが外部から見えないように、頭部２１の胴側に延びるフランジなどを設けてもよく、鉛筆に対するキャップのような状態で頭部２１と胴部２６とが螺合するような形態にしてもよい。
【００２９】
このように構成されたルアーは、胴部２６の頭部２１に対する螺合の程度を変化させることにより、ルアー全体の比重を調整可能である。即ち、雄ねじ部分２６ａをねじ穴２１ａ十分に螺合させれば、ねじ穴２１ａの残りとして頭部２１の内部に生じる空隙がなくなり、ルアーの浮力が小さくなる。一方、雄ねじ部分２６ａのねじ穴２１ａへの螺合程度を小さくすれば、ねじ穴２１ａの残りとして頭部２１内に生じる空隙は大きくなり、ルアー全体の浮力が大きくなる。
【００３０】
［第３参考例］
以下、本発明の第３参考例として、上記第２参考例の変形例を示す。
【００３１】
図９に示すように、本発明の第３参考例に係るルアーは、外形をエビなどに似せて形成したルアー本体３１と、ルアー本体３１の尾部側端部を形成する尾部３６とを有する。これらルアー本体３１及び尾部３６はそれぞれ第２参考例と同様に中実の部材である。そして、ルアー本体３１のアイ３３，錘３２、尾部３６に取り付けられている針山３４についても同様である。
【００３２】
このルアー本体３１の尾部側の端面には長手方向に凹入するねじ穴３１ａが形成されている。一方、尾部３６の本体側端面には、上述のねじ穴３１ａに螺合するための雄ねじ部分３６ａが突出して形成されている。そして、ねじ穴３１ａの開口縁にはゴムリングなどが必要に応じて取り付けられる。
【００３３】
このように構成されたルアーでも、第２参考例と同様にして、ルアー全体の比重を変化させることが可能となる。
【００３４】
［他の実施形態］
（ａ）上述の第１実施形態においては、ルアー本体１を形成する半割部材の開口面において孔部６を形成しているが、ルアー本体１を射出成形などした場合には、ルアー本体１を成形後に外部から削り掘って孔部６を形成することも当然に可能である。
【００３５】
また、孔部６をルアー本体１に対して貫通するように形成せず、一方向にのみに於いて外部と連通しているものとしてもよい。この場合には、スライド板７は当然に外部と連通する開口を開閉することになる。
（ｂ）第１実施形態ではスライド板７を用いて孔部６を塞いでいるが、その他、円筒型の栓を用意して、これで孔部６を直接塞いでしまうような方法を採用することも可能である。
（ｃ）錘や補助錘の形状などは上記実施形態に限定されるものではなく、水流を適当に受ける為に様々な形に変形可能である。
（ｄ）図１０に示すように、外形を魚に似せて形成するルアーにおいて、上半身側を構成する第１ルアー本体４１と、下半身側の構成する第２ルアー本体４２とを形成し、これをねじ式に螺合させることで浮力調整することも可能である。
【００３６】
例えば、この第１ルアー本体４１及び第２ルアー本体４２はそれぞれ鉄や鉛などの金属から構成される。第１ルアー本体４１は下半身側端面から頭部方向に凹入する大きな空間が形成され、この空間内に尾部側に突出する柱状の雄ねじ部分４１ａを有する。一方の、第２ルアー本体４２は上述の第１ルアー本体４１の空間内に収納可能な大きさで形成され、上半身側端面から尾部方向に凹入するねじ穴４２ａを有している。
【００３７】
このような、第１ルアー本体４１と第２ルアー本体４２との螺合の程度を調整することで、ルアー全体の長手方向長さを調整すると共に、第２ルアー本体４２内の空間（ねじ穴４２ａの螺合の残り空間）を変化させてルアー全体の浮力調整も可能となる。
【００３８】
【発明の効果】
本発明に係るルアーでは、状況に合わせて沈降態様や泳動姿勢に変化を付けることができる。
【図面の簡単な説明】
【図１】  本発明の第１実施形態を採用したルアーを示した図。
【図２】  図１のII−II断面図。
【図３】  本発明の第１参考例に係るルアーを示した図。
【図４】  図３の錘１２の拡大図。
【図５】  図４の補助錘１８の拡大図。
【図６】  図３の錘１２の変形例
【図７】  図３の錘１２の別の変形例。
【図８】  本発明の第２参考例に係るルアーを示した図。
【図９】  本発明の第３参考例に係るルアーを示した図。
【図１０】  本発明の他の実施形態を採用したルアーを示した図。
【符号の説明】
１，３１  ルアー本体
６  孔部
７  スライド板
１，１２  錘
１８，１９  補助錘
２１  頭部
２６  胴部
３６  尾部
【図１】
0003844681.tif 000002
【図２】
0003844681.tif 000003
【図３】
0003844681.tif 000004
【図４】
0003844681.tif 000005
【図５】
0003844681.tif 000006
【図６】
0003844681.tif 000007
【図７】
0003844681.tif 000008
【図８】
0003844681.tif 000009
【図９】
0003844681.tif 000010
【図１０】
0003844681.tif 000011